(57)【特許請求の範囲】
【請求項１】
真空掃除機の排気フィルタの締付装置において、
掃除機本体の側面に取り付けられ、複数個の排気孔（１２）と円筒状の側壁部（１５）の内側面に設けられた複数個の取付溝（１６）とを有する排気フィルタカバー（１０）と、
空気を浄化させるためのフィルタ部と、円筒状の外側面（２２）に設けられた、前記取付溝に弾性的に締め付けられる結合突起（２６）とを有するフィルタ（２０）と、
を備え、前記フィルタ（２０）が排気フィルタカバー（１０）の内側に弾性的に締め付けられることを特徴とする真空掃除機の排気フィルタの締付装置。
【請求項２】
前記取付溝（１６）がＬ字状に設けられ、前記結合突起（２６）が、前記取付溝に挿入した後、一側に回転させることにより、取付溝に締め付けられることを特徴とする請求項１に記載の真空掃除機の排気フィルタの締付装置。
【請求項３】
前記Ｌ字状の取付溝の後端の直前には、結合突起が後端に挿入された状態を維持するための結合突部（１６ａ）が設けられていることを特徴とする請求項２に記載の真空掃除機の排気フィルタの締付装置。
【発明の詳細な説明】
【０００１】
【発明の属する技術分野】
本発明は、真空掃除機に関し、より詳しくは、真空掃除機の外側面に設けられる排気フィルタを固定して締め付けることができる排気フィルタの締付装置に関する。
【０００２】
【従来の技術】
図２に示すように、真空掃除機の本体２の両側面には、空気が排気される排気部４が設けられている。前記排気部は、真空掃除機の本体の内部に流入される塵芥を含む空気から塵芥が除去された空気を掃除機の外部に排出させるものである。この排気部４は、図３に示すように、上部ケーシング６と下部ケーシング８からなる掃除機の本体ケーシングの両側面に設けられた排気孔６ａに、フィルタ４ｂ及び排気フィルタカバー４ａを取り付けることにより形成されている。
【０００３】
また、前記排気フィルタカバー４ａは、その外側に設けられている突起４ｃが、排気孔６ａが設けられている本体ケーシングに嵌合されることにより固定されている。ここで、前記フィルタ４ｂは、排気空気中に含まれている塵芥を最終的に濾過させるものである。前記フィルタ４ｂは、前記排気フィルタカバー４ａと前記排気孔６ａとの間に位置している。
【０００４】
一般に、真空掃除機が駆動すると、本体に組み込まれているモータの駆動により振動や騒音が発生するようになる。このように発生した振動は、前記排気フィルタカバー４ａとフィルタ４ｂにも伝達される。従来の構成によると、前記フィルタ４ｂは、別途の支持部材を介さず、単に排気フィルタカバー４ａと掃除機本体との間に挿入された状態で支持されているので、上記のような振動により、フィルタ４ｂが揺れることになり、周辺の排気フィルタカバー４ａ又は掃除機本体に接触するおそれがあり、このような接触により不要な接触騒音が発生するおそれがあった。
【０００５】
【発明が解決しようとする課題】
本発明は、上記問題点に鑑みなされたものであり、排気フィルタをより堅固に固定することにより、掃除機の動作時、排気フィルタの付近での騒音の発生を完全に防止することができる排気フィルタの締付装置を提供することを目的とする。
【０００６】
【課題を解決するための手段】
上記の目的を達成するために、本発明による真空掃除機の排気フィルタの締付装置は、掃除機本体の側面に取り付けられ、複数個の排気孔と円筒状の側壁部の内側面に設けられた複数個の取付溝とを有する排気フィルタカバーと、空気を浄化させるためのフィルタ部と、円筒状の外側面に設けられた、前記取付溝に弾性的に締め付けられる結合突起とを有するフィルタとを備え、前記フィルタが排気フィルタカバーの内側に弾性的に締め付けられることを特徴とする。
【０００７】
また、前記取付溝は、Ｌ字状に設けられ、前記結合突起は、前記取付溝に挿入後、一側に回転させることにより、取付溝に締め付けられるように構成されている。
また、前記Ｌ字状の取付溝の後端の直前には、結合突起が後端に挿入された状態を維持するための結合突部が設けられており、より堅固な結合を可能にしている。
【０００８】
【発明の実施の形態】
以下、本発明の好ましい実施の形態を、添付図面に基づいて詳しく説明する。図１に示すように、真空掃除機の本体の側面に取り付けられる本発明による排気フィルタカバー１０には、空気を排気させるための複数個の排気孔１２が設けられている。また、前記排気フィルタカバー１０の中心部分には、円形の取付ガイド１４が設けられており、前記排気孔１２は、前記取付ガイド１４の外周面に設けられている。
【０００９】
前記取付ガイド１４は、フィルタ２０の外側面２２に押し付けられる側壁部１５を備えている。前記フィルタ２０の外側面２２は、実質的に略垂直に設けられる掃除機本体の側面に対し略垂直に近い角度を有している。従って、前記排気フィルタカバー１０の取付ガイド１４の側壁部１５も、実質的に掃除機本体の側面と略直角をなすように形成される側壁部分である。
前記側壁部１５の内側面には、取付溝１６が設けられている。前記取付溝１６は、図示のように、Ｌ字状となっており、取付溝１６の後側部の直前には、溝部分に突出した結合突部１６ａが設けられている。
【００１０】
次に、本発明に用いられる円筒状のフィルタ２０について説明する。フィルタ２０は、フィルタ部２４と、前記フィルタ部を支持するための支持枠部２１とからなり、前記支持枠部２１は、フィルタの左側及び右側端部を形成している。前記円筒状のフィルタ２０の左側（外側）枠部は、外側面２２を形成し、前記外側面２２には、複数個の結合突起２６が設けられている。
【００１１】
次に、前記フィルタ２０と排気フィルタカバー１０との結合関係について説明する。前記フィルタ２０の円筒状の外側面２２は、排気フィルタカバー１０の取付ガイド１４の内部に結合される。このとき、前記外側面２２は、取付ガイド１４の側壁部１５と密着し、前記外側面２２から突設されている結合突起２６は、取付溝１６の内側に挿入されるようになる。また、前記結合突起２６が取付溝１６の内側に一定に挿入された状態で、前記フィルタ２０を矢印で示す反時計方向に回転させると、前記結合突起２６は、Ｌ字状の取付溝１６の後方に結合されるようになる。
【００１２】
また、前記結合突起２６が完全に結合すると、前記結合突起２６は、前記結合突部１６ａの内側に完全に挿入され、前記結合突部１６ａにより弾性的に締め付けられるようになる。
本発明によると、フィルタ２０の外側面２２に結合突起２６を設け、この結合突起を用いてフィルタ２０を排気フィルタカバー１０の取付ガイド１４に締め付けて固定することを基本的な技術的思想としている。
【００１３】
このような本発明の基本的な技術的思想を逸脱しない範囲内で、当業界の通常の知識を有する者にとっては、他の多くの変更が可能であることは当然である。例えば、前記結合突起２６が締め付けられる前記取付溝１６の構成について他の多くの変形が可能であろう。本発明による取付け溝１６は、前記結合突起２６が結合され、フィルタ２０が任意に離脱しないように構成される範囲内で、他の多くの変形が可能である。例えば、前記取付ガイド１４の側壁部１５の内側面に、前記結合突起２６が弾性的に締め付けられる締付溝を形成することによっても、フィルタ２０を排気フィルタカバー１０に締め付けて固定することができる。
【００１４】
【発明の効果】
上述した本発明によると、前記フィルタが排気フィルタカバーに完全に取り付けられた状態で、排気フィルタカバーが、掃除機本体の側面に取付けられるようになる。従って、前記フィルタは、外部の振動に対しても堅固に支持され、掃除機の動作中に発生するいかなる振動によっても揺れることがなく、他の部品との接触による騒音を発生させない効果を有する。
【図面の簡単な説明】
【図１】本発明による排気フィルタの構成を示す分解斜視図である。
【図２】一般の真空掃除機の本体の斜視図である。
【図３】従来の排気フィルタの周辺構成を示す分解斜視図である。
【符号の説明】
１０…排気フィルタカバー
１２…排気孔
１４…取付ガイド
１５…側壁部
１６…取付溝
１６ａ…結合突部
２０…フィルタ
２１…支持枠部
２２…外側面
２４…フィルタ部
２６…結合突起
【図１】
0003571707.tif 000002
【図２】
0003571707.tif 000003
【図３】
0003571707.tif 000004